(57)【要約】【課題】高い放熱性の確保と防虫対策を両立させつつ、灯室間隔の狭いレイアウトを実現することができる車両用灯具を提供すること。【解決手段】ハウジング（灯体）２とその開口部を覆うアウタレンズ３によって画成される灯室Ｓを断熱板１５によって複数の灯室Ｓ１，Ｓ２，Ｓ３に区画し、各灯室Ｓ１〜Ｓ３内にバルブ（光源）８，９，１０をそれぞれ配置して成るリアコンビネーションランプ（車両用灯具）１において、前記ハウジング２に通気孔１１，１２を形成し、前記断熱板１５の一部を前記ハウジング２の縦壁に沿って折り曲げてカバー部１５Ｄを形成し、該カバー部１５Ｄによって前記通気孔１１，１２を塞ぐとともに、同カバー部１５Ｄに複数のスリット１６を形成する。又、前記断熱板１５の長手方向複数箇所を前記ハウジング２にネジ１９によって固定し、その固定部をエクステンション７によって覆う。【選択図】図２
2016170870.tif 000002
【特許請求の範囲】
【請求項１】
灯体とその開口部を覆うアウタレンズによって画成される灯室を断熱板によって複数の灯室に区画し、各灯室内に光源をそれぞれ配置して成る車両用灯具において、
前記灯体に通気孔を形成し、前記断熱板の一部を前記灯体の縦壁に沿って折り曲げてカバー部を形成し、該カバー部によって前記通気孔を塞ぐとともに、同カバー部に複数のスリットを形成したことを特徴とする車両用灯具。
【請求項２】
前記断熱板の長手方向複数箇所を前記灯体にネジによって固定し、その固定部をエクステンションによって覆ったことを特徴とする請求項１記載の車両用灯具。
【発明の詳細な説明】
【技術分野】
【０００１】
本発明は、断熱板を備える車両用灯具に関するものである。
【背景技術】
【０００２】
車両用灯具には、灯体とその開口部を覆うアウタレンズによって画成される灯室内に、機能が異なる複数のランプを収容して成るコンビネーション型のものがある。例えば、車両の後部左右に配置されるリアコンビネーションランプは、灯室内にストップランプ、バックランプ、ターンシグナルランプ等を収容して構成されているが、斯かるリアコンビネーションランプには、灯室を断熱板によって複数に区画し、各灯室内に光源をそれぞれ配置したものがある。
【０００３】
上記断熱板は、複数の光源間の熱的な影響を遮断したり、光源の熱によるハウジング等の樹脂部品の損傷を防ぐために設けられるものであり（例えば、特許文献１，２参照）、その配置構造の一例を図５及び図６に示す。
【０００４】
即ち、図５は車両用灯具における断熱板の配置構造の一例を示すハウジング背面の部分斜視図であり、図示の配置例では、断熱板１１５をハウジング１０２の背面から灯室内に挿し込む後挿し方式を採用しており、断熱板１１５は、ハウジング１０２の背面に一体に形成された左右のガイドレール１０２ａにその左右端縁が嵌め込まれた状態で前方（図５の斜め奥側）へと挿し込まれて固定される。
【０００５】
又、図６は車両用灯具における断熱板の配置構造の一例を示す光源周りの部分正面斜視図であり、図示の配置例では、ハウジング２０２の内面のバルブ２０８の上方位置に左右のガイド突起２０２ａを突設し、断熱板２１５の左右両端縁を左右のガイド突起２０２ａに嵌め込んだ状態で、該断熱板２１５を前側から奥側へと挿し込んで固定する前挿し方式を採用している。
【先行技術文献】
【特許文献】
【０００６】
【特許文献１】特開２０１１−２４３２９２号公報
【特許文献２】実開平６−０７７１０２号公報
【発明の概要】
【発明が解決しようとする課題】
【０００７】
図５に示す後挿し方式による断熱板１１５の配置構造によれば、ハウジング１０２の断熱板１１５が貫通する部分がくり貫かれるために放熱性に優れる反面、複数の灯室間の間隔や金型の要件によってはこの方式を採用することができない場合がある。
【０００８】
又、図６に示す前挿し方式による断熱板２１５の配置構造によれば、ハウジング２０２の前方から断熱板２０２を取り付けることができる反面、ガイド突起２０２ａが正面に露出するために見栄え悪いという問題がある。更に、ハウジング２０２に孔を形成しないために図５に示す後挿し方式よりも耐熱距離や灯室の容積を必要とする場合がある他、ガイド突起２０２ａの耐熱性を考慮する必要があるために制約が多いという問題がある。
【０００９】
本発明は上記問題に鑑みてなされたもので、その目的とする処は、高い放熱性の確保と防虫対策を両立させつつ、灯室間隔の狭いレイアウトを実現することができる車両用灯具を提供することにある。
【課題を解決するための手段】
【００１０】
上記目的を達成するため、請求項１記載の発明は、灯体とその開口部を覆うアウタレンズによって画成される灯室を断熱板によって複数の灯室に区画し、各灯室内に光源をそれぞれ配置して成る車両用灯具において、前記灯体に通気孔を形成し、前記断熱板の一部を前記灯体の縦壁に沿って折り曲げてカバー部を形成し、該カバー部によって前記通気孔を塞ぐとともに、同カバー部に複数のスリットを形成したことを特徴とする。
【００１１】
請求項２記載の発明は、請求項１記載の発明において、前記断熱板の長手方向複数箇所を前記灯体にネジによって固定し、その固定部をエクステンションによって覆ったことを特徴とする。
【発明の効果】
【００１２】
請求項１記載の発明によれば、光源の発熱によって加熱された高温の空気と灯体外の温度の低い空気が灯体の通気孔を介して出入りして灯室内が換気されるため、車両用灯具に高い放熱性が確保される。又、通気孔を塞ぐ断熱板のカバー部にスリットを形成したため、灯室内への虫の侵入がスリットによって防がれる。この結果、防虫対策と放熱性の確保を両立させることができる。
【００１３】
更に、複数に分割された灯室内に配置された光源間の熱的影響が断熱板によって遮断されるため、光源間の距離を縮めて灯室間隔の狭いレイアウトを実現することができる。
【００１４】
請求項２記載の発明によれば、断熱板を灯体にネジによって正面側から作業性良く固定することができるとともに、固定部をエクステンションによって覆うようにしたため、車両用灯具の見栄えの低下が防がれる。
【図面の簡単な説明】
【００１５】
【図１】本発明に係る車両用灯具の断熱板を取り付ける前の内部構造を示す斜視図である。
【図２】本発明に係る車両用灯具の断熱板を取り付けた後の内部構造を示す斜視図である。
【図３】図２のＡ−Ａ線断面図である。
【図４】本発明に係る車両用灯具の断熱板の斜視図である。
【図５】従来の車両用灯具における断熱板の配置構造の一例を示すハウジング背面の部分斜視図である。
【図６】従来の車両用灯具における断熱板の配置構造の一例を示す光源周りの部分正面斜視図である。
【発明を実施するための形態】
【００１６】
以下に本発明の実施の形態を添付図面に基づいて説明する。
【００１７】
図１は本発明に係る車両用灯具の断熱板を取り付ける前の内部構造を示す斜視図、図２は同車両用灯具の断熱板を取り付けた後の内部構造を示す斜視図、図３は図２のＡ−Ａ線断面図、図４は断熱板の斜視図である。
【００１８】
本実施の形態に係る車両用灯具は、車両の後部左右に配置されるリアコンビネーションランプ１であり、このリアコンビネーションランプ１は、図１〜図３に示すように、リフレクタを兼ねる灯体としてのハウジング２と、該ハウジング２の開口部を覆う透明なアウタレンズ３によって画成される灯室Ｓに、ターンシグナルランプ４とストップランプ５及びバックランプ６を収容して構成されている。ここで、図３に示すように、ハウジング２の開口部のアウタレンズ３の内側には、エクステンション７が配置されており、このエクステンション７によってターンシグナルランプ４とストップランプ５及びバックランプ６とハウジング２との間の隙間が覆われている。尚、左右のリアコンビネーションランプ１の基本構成は同じであるため、以下、一方のリアコンビネーションランプ１についてのみ図示及び説明する。
【００１９】
前記ターンシグナルランプ４とストップランプ５及びバックランプ６は、光源としてバルブ８，９，１０をそれぞれ備えており、これらのバルブ８，９，１０は、図３に示すように（図３にはバルブ８，９のみ図示）、その光軸が所定の方向に向くようハウジング２に挿し込んで固定されている。ここで、図１に示すように、ハウジング２の縦壁の一部（上下に配置されたバルブ８，９の近傍であって、これらのバルブ８，９の中間高さ位置には、矩形の通気孔１１，１２が左右に並んで形成されており、これらの通気孔１１，１２の間にはネジ孔１３（図１参照）が形成されている。
【００２０】
又、図１に示すように、ハウジング２の縦壁の内面（反射面）であって、左右のバルブ８，１０の左右方向中間位置にはボス２Ａが一体に突設されており、このボス２Ａの中心にはネジ孔１４が形成されている。そして、ハウジング２の縦壁の内面（反射面）の前記ボス２Ａからは、正面側（図１の手前側）に向かって突出する上下のリブ２Ｂ，２Ｃがバルブ１０を上下から挟み込むように横方向に長く延びている。
【００２１】
而して、図２及び図３に示すように、灯室Ｓ内には、横方向に長い板金製の断熱板１５が収容固定されており、この断熱板１５とハウジング２に形成された前記リブ２Ｃによって灯室Ｓは、ターンシグナルランプ４の灯室Ｓ１とストップランプ５の灯室Ｓ２及びバックランプ６の灯室Ｓ３の３つに分割されている。そして、３分割された灯室Ｓ１，Ｓ２，Ｓ２内に前記バルブ８，９，１０がそれぞれ収容されている。
【００２２】
ここで、断熱板１５は、図２及び図４に示すように、その長手方向中間部に、バルブ８との干渉を避けつつ該バルブ８を下方から覆う凹部１５Ａが屈曲形成されており、この凹部１５Ａの左右からは平面部１５Ｂ，１５Ｃがそれぞれ立ち上がって左右に向かって略水平に延びている。そして、断熱板１５の左端部、具体的には、左側の短い水平部１５Ｂには、その奥側端縁がハウジング２の縦壁の内面（反射面）に沿って垂直下方に略直角に折り曲げられることによって矩形板状のカバー部１５Ｄが形成されている。このカバー部１５Ｄは、断熱板１５が図２に示すようにハウジング２に取り付けられた状態で、ハウジング２の縦壁に形成された左右の通気孔１１，１２を塞ぐものであって、これには通気孔１１，１２にそれぞれ連通する縦方向の複数のスリット１６が横方向に所定の間隔で形成されておいる。又、このカバー部１５Ｄには、円孔状のネジ挿通孔１７が形成されている。尚、本実施の形態では、断熱板１５のカバー部１５Ｄに形成された各スリット１６の幅は、小さな虫が通過しない程度の値に設定されている。
【００２３】
更に、断熱板１５の一部（凹部１５Ａを形成する一方の斜面の先端縁）には、直角に折り曲げられた矩形のブラケット１５Ｅが形成されており、このブラケット１５Ｅには円孔状のネジ挿通孔１８が形成されている。又、断熱板１５の左右の水平部１５Ｂ，１５Ｃと凹部１５Ａの水平部の先端縁には、カール成形によって横Ｕ字状に折り曲げられたカール部１５ａ，１５ｂ，１５ｃがそれぞれ形成されている。
【００２４】
而して、断熱板１５は、ハウジング２の開口部にアウタレンズ２やエクステンション７を組み付ける以前に、ハウジング２の縦壁に正面側から取り付けられる。即ち、図２に示すように、断熱板１５の右側の長い水平部１５Ｃをハウジング２のリブ２Ｃに載せて位置決めすると、カバー部１５Ｄとブラケット１５Ｅにそれぞれ形成されたネジ挿通孔１７，１８がハウジング２の通気孔１１，１２の間に形成されたネジ孔１３とボス２Ａに形成されたネジ孔１４にそれぞれ合致する。そして、この状態でネジをハウジング２の各ネジ孔１３，１４にそれぞれねじ込めば、断熱板１５がハウジング２に固定され、ハウジング２に形成された左右の通気孔１１，１２が断熱板１５のカバー部１５Ｄによって塞がれる（図３参照）。
【００２５】
その後、エクステンション７をハウジング２の開口部に固定すれば、図３に示すように、該エクステンション７の内面に横方向（図３の紙面垂直方向）に沿って形成された凹溝７ａに断熱板１５の先端縁に形成されたカール部１５ａ，１５ｂ，１５ｃが嵌め込まれるため（図３には１つのカール部１５ａのみ図示）ため、断熱板１５の先端縁がエクステンション７によって支持される。そして、この場合、断熱板１５のハウジング２へのネジ１９による固定部は、エクステンション７によって覆われ、固定部が正面側から見えることがない。
【００２６】
以上のように構成されたリアコンビネーションランプ１においては、各バルブ８，９，１０の発熱によって加熱された高温の空気とハウジング２外の温度の低い空気がハウジング２の通気孔１１，１２を介して出入りして灯室Ｓ内が換気されるため、当該リアコンビネーションランプ１に高い放熱性が確保される。又、通気孔１１，１２を塞ぐ断熱板１５のカバー部１５Ｄにスリット１６を形成したため、灯室Ｓ内への虫の侵入がスリット１６によって防がれる。この結果、当該リアコンビネーションランプ１において防虫対策と放熱性の確保を両立させることができる。
【００２７】
更に、複数に分割された灯室Ｓ１，Ｓ２，Ｓ３内にそれぞれ配置されたバルブ８，９，１０間の熱的影響が断熱板１５によって遮断されるため、バルブ８，９，１０間の距離を縮めて灯室間隔の狭いレイアウトを実現することができる。
【００２８】
そして、本実施の形態では、断熱板１５をハウジング２にネジ１９によって正面側から作業性良く固定することができるとともに、固定部をエクステンション７によって覆うようにしたため、当該リアコンビネーションランプ１の見栄えの低下が防がれる。
【００２９】
尚、以上は本発明をリアコンビネーションランプに対して適用した形態について説明したが、本発明は、断熱板を備える他の任意の車両用灯具に対しても同様に適用可能であることは勿論である。
【符号の説明】
【００３０】
１              リアコンビネーションランプ（車両用灯具）
２              ハウジング（灯体）
３              アウタレンズ
４              ターンシグナルランプ
５              ストップランプ
６              バックランプ
７              エクステンション
８〜１０        バルブ（光源）
１１，１２      通気孔
１３，１４      ネジ孔
１５            断熱板
１５Ａ          断熱板の凹部
１５Ｂ，１５Ｃ  断熱板の水平部
１５Ｄ          断熱板のカバー部
１５Ｅ          断熱板のブラケット
１６            スリット
１７，１８      ネジ挿通孔
１９            ネジ
Ｓ，Ｓ１〜Ｓ３  
【図１】
2016170870.tif 000003
【図２】
2016170870.tif 000004
【図３】
2016170870.tif 000005
【図４】
2016170870.tif 000006
【図５】
2016170870.tif 000007
【図６】
2016170870.tif 000008